(57)【要約】 【課題】  煩瑣な受け桟の取付けが不要で、且つ外枠を床開口端に強固に取付けし得、しかも取付けに熟練や専門性を要さず何人でもワンタッチ操作で簡易迅速且つ正確に取付け得る点検口の外枠固定装置を提供する。【解決手段】  対向する立上り壁３１Ａ、３１Ｂの外面に取付用係合受け部３４を設けた外枠３と、上記一方の立上り壁３１Ａに配備され、内面が立上り壁３１Ａの外面に接面する固着板１１の上部に、上記取付用係合受け部３４に係着する係合部１２を設けると共に、固着板１１の適所に外方向へ突出する突き刺し部１４を備えた固着手段１と、上記他方の立上り壁３１Ｂに配備され、内面が立上り壁３１Ｂの外面に接面する固着板２１の上部に、上記取付用係合受け部３４に係着する係合部２２を設けると共に、固着板２１の下部に外方向へ突出する上向き傾斜状の突っ張りバネ板２４を備える押圧手段２とから成る点検口の外枠固定装置。【選択図】          図１
2013023839.tif 000002
【特許請求の範囲】
【請求項１】
対向する立上り壁の外面に取付用係合受け部を設けた外枠と、上記一方の立上り壁に配備され、内面が立上り壁の外面に接面する固着板の上部に、上記取付用係合受け部に係着する係合部を設けると共に、固着板の適所に外方向へ突出する突き刺し部を備えた固着手段と、上記他方の立上り壁に配備され、内面が立上り壁の外面に接面する固着板の上部に、上記取付用係合受け部に係着する係合部を設けると共に、固着板の下部に外方向へ突出する上向き傾斜状の突っ張りバネ板を備える押圧手段とから成る点検口の外枠固定装置。
【請求項２】
前記固着板は、上部に内向きに屈曲する係合部を備えた垂直板部と、垂直板部の下部を直角状に折り曲げ、先端に内向き湾曲部を備えた水平板部とから成ることを特徴とする請求項１記載の点検口の外枠固定装置。
【請求項３】
前記突き刺し部は、固着板の垂直板部の両端部に切り込んで形成した針状の突起で、垂直板部に対し直角状に外方向へ一定長さ突出したものであることを特徴とする請求項１記載の点検口の外枠固定装置。
【請求項４】
前記突っ張りバネ板は、幅広状の平板体で面内に上昇傾斜の段差部を設けて、垂直板部の背面側へ上昇傾斜状に突出するアーム状突っ張り部に常時、外方向へのバネ力を付与していることを特徴とする請求項１記載の点検口の外枠固定装置。
【発明の詳細な説明】
【技術分野】
【０００１】
この発明は、例えば床下点検口や天井点検口などの点検口の外枠固定装置に関する。
【背景技術】
【０００２】
図８は、従来の床下点検口の外枠を床開口６４の縁部に固定する状態を示す断面図である。この床下点検口の外枠５は、立上り壁５１と、立上り壁５１の上端を外向きに折り曲げた水平状枠縁５２と、立上り壁５１の下端に連続し、内向きに突出するハコ状受け部５３とから成る。
【０００３】
この外枠５を固定する床面（根太６１と床補強材６２と床材６３とで構成される）６の適所に点検用の開口が開設され、この床開口６４に上記外枠５を嵌入れる。水平状枠縁５２が床面６上に載置された状態で、立上り壁５１が床開口６４周縁に隙間を介してほぼ接面状に対応する。
【０００４】
ここで、立上り壁５１面内のビス孔５１а側から床材６３に対し、ビス５１ｂを打ち込み、床面６に対し外枠５を額縁状に固定する。一方、床開口に際し切り出した床材を方形状の蓋板６５とし、蓋板６５の外周に断面略「コ」の字状の内枠６６を固着して、内枠６６の底面をハコ状受け部５３の上面で支承する。
【特許文献１】特開２００３−１２００１４公報
【発明の開示】
【発明が解決しようとする課題】
【０００５】
従来の床下点検口の外枠では、立上り壁から床端面に対しビス打ちする。このビスを締付けすぎると、床端面と外枠との間の適正な隙間がなくなり、外枠が変形する不利がある。
【０００６】
他方、ビスの締付け強度が十分でないと、ハコ状受け部の下方に支えがないことと相俟って、蓋板にかかる負荷は水平状枠縁の設置面でのみ支承する結果となる。このため、図８の矢印で示すように、水平状枠縁の設置面が支点となって、外枠は矢印Ｃ方向へ変形する。
【０００７】
仮に、外枠のハコ状受け部を支える受け桟（図８の仮想線で示す）６７を施工した場合は、外枠の矢印Ｃ方向への変形は解消し得る反面、床面開口寸法及び受け桟の高さ寸法を精確にしなければならず、煩瑣で且つ熟錬を要する等の不利があった。
【０００８】
この発明は、以上のような課題を解消させ、煩瑣な受け桟の取付けが不要で、
且つ外枠を床端面に対し強固に取り付けし得、しかも熟練を要さず何人でもワン
タッチ操作で簡易迅速、且つ正確に取付けし得る点検口の外枠固定装置を提供す
ることを目的とする。
【課題を解決するための手段】
【０００９】
この目的を達成させるために、この発明の点検口の外枠固定装置では、次のような構成としている。
点検口の外枠固定装置は、対向する立上り壁の外面に取付用係合受け部を設けた外枠と、上記一方の立上り壁に配備され、内面が立上り壁の外面に接面する固着板の上部に、上記取付用係合受け部に係着する係合部を設けると共に、固着板の適所に外方向へ突出する突き刺し部を備えた固着手段と、上記他方の立上り壁に配備され、内面が立上り壁の外面に接面する固着板の上部に、上記取付用係合受け部に係着する係合部を設けると共に、固着板の下部に外方向へ突出する上向き傾斜状の突っ張りバネ板を備える押圧手段とから成ることを特徴とする。
【発明の効果】
【００１０】
このような構成を有する点検口の外枠固定装置では、外枠の対向する一方の立上り壁に突き刺し部を備えた固着手段を配備し、他方の立上り壁に突っ張りバネ板を備えた押圧手段を配備することとしたから，外枠を斜めにして一方の立上り壁（固着手段側）を床開口に入れ、突き刺し部を床下材に対応させた状態で、他方の立上り壁（押圧手段側）を床開口に押し入れるだけで、突っ張りバネ板が外枠自体を対向方向へ激しく突き押し、この押圧力で突き刺し部が床下材に突き刺さって安全確実に固着する。
【００１１】
従って、外枠の一方の立上り壁側を先に床開口に入れた後に、他方の立上り壁側を床開口に落とし込むだけの簡易なワンタッチ操作で自動的に外枠を床開口に固着できるから、塾錬や専門性を必要とせず、誰でも簡単に取付できる。
【００１２】
しかも、外枠の立上り壁と床材（床開口）端面との対向間の適正な隙間も確保され、外枠が撓む等の変形も生じない許かりでなく、強固に取付け得るから受け桟などの煩瑣な施工作業も解消し得る等、発明目的を達成した優れた効果を有する。
【発明を実施するための最良の形態】
【００１３】
以下、図面に基づき本発明に係る点検口の外枠固定装置の具体的な実施の形態を説明する。
図１は、床下点検口の外枠固定装置を示す斜視図である。
床下点検口の外枠固定装置は、床開口４に取付られる外枠３と、外枠３に配備される固着手段１と固着手段１を動作させる押圧手段２とから成る。
【００１４】
外枠３は、図１及び図３で示すように、立上り壁３１と立上り壁３１の上端を外向きに突出した水平枠縁３２と、立上り壁３１の下端に内向きに突出するハコ状受け部３３とからなる方形状枠体に形成される。
【００１５】
各立上り壁３１の外面には、コーナー補強部３4 ａが配備してある。このコーナー補強部３4 ａの面内に凹み状の取付用係合受け部３４が設けてある。また、ハコ状受け部３３の底面にはスリット溝孔３５を開口している。
【００１６】
図２及び図３は、固着手段１を示す斜視図である。
固着手段１は、対向する立上り壁３１の一方の立上り壁３１Ａに配備される。この固着手段１は、平板状の金属板を直角状に折り曲げて垂直板部１１ａと水平板部１１ｂを設けたＬ字状の固着板１１と、垂直板部１１ａの上端に連続して設けられる内向きに屈曲させた係合部（屈曲係合部）１２と、水平板部１１ｂの先端に設けた内向き湾曲部１３と、後述する突き刺し部１４とから成る。        
【００１７】
上記突き刺し部１４は、固着板１１の垂直板部１１ａの両端部に切り込んで形成した針状の突起で、垂直板部１１ａに対し直角状に外方向へ折り曲げて一定長さ突出させてある。
【００１８】
この固着手段１は、図１及び図３で示すように、一方の立上り壁１Ａのコーナー補強部３４ａに配備される。
屈曲係合部１２が、コーナー補強部３４ａの凹み状取付用係合受け部４に嵌着し、且つ水平板部１１ｂ先端の内向き湾曲部１３がハコ状受け部３３の底面にスリット溝孔３５を介して係着して、固着手段１が一方の立上り壁１Ａに固定されている。
【００１９】
図４は、押圧手段２を示す斜視図である。
押圧手段２は、対向する立上り壁３１の他方の立上り壁３１Ｂに配備される。この押圧手段２は、平板状の金属板を直角状に折り曲げて垂直板部２１ａと水平板部２１ｂを設けたＬ字状の固着板２１と、垂直板部２１ａの上端に連続して設けられる内向きに屈曲させた係合部（屈曲係合部）２２と、水平板部２１ｂの先端に設けた内向き湾曲部２３と、後述する突っ張りバネ板２４とから成る。
【００２０】
突っ張りバネ板２４は、上記垂直板部２１ａ下端部に連続状に設けられた幅広状の平板体で、内方向から外方向へ突出する上向き傾斜状に突設してある。この突っ張りバネ板２４は、面内中央の水平板部２１ｂ切り起し用窓孔２４ｂの左右両側をアーム状突っ張り部２４а、２４аに設定し、両アーム状突っ張り部２４а、２４аは基端部２４ｄで連続している。
【００２１】
上記突っ張りバネ板２４は、面内に上昇傾斜の段差部２４ｃを設けて、垂直板部２１ａの背面側へ傾斜状に突出するアーム状突っ張り部２４ａ、２４ａに、常時、外方向へのバネ力を付与している。
【００２２】
この押圧手段２は、図１で示すように、他方の立上り壁３１Ｂのコーナー補強部３４ａに配備される。
屈曲係合部２２が、コーナー補強部３４ａの凹み状取付用係合受け部３４に嵌着し、且つ水平板部２１ｂ先端の内向き湾曲部２３がハコ状受け部３３の底面にスリット溝孔３５を介して係着して、押圧手段２が他方の立上り壁１Ｂに固定されている。
【００２３】
このような構成を有する床下点検口の外枠固定装置では、まず、図５で示すように、外枠３を傾斜させて外枠３の一方の立上り壁３１Ａを床開口４に嵌め入れる。つまり、枠縁部３２が床面（床仕上げ材）４１上に載置された状態とし、この後、他方の立上り壁３１Ｂ側を床開口４に嵌め入れる。この状態において、固着手段１の突き刺し部１４は床下地材４１端面と隙間をもって対向している。
【００２４】
次に、他方の立上り壁３１Ｂを押し下げていくと、図６で示すように押圧手段２の突っ張りバネ板２４の外方向へ突出しているアーム状突っ張り部２３が床開口４端（床仕上げ材４１上端）に突き当る。更に押し込むと、アーム状突っ張り部２３は、外方向へ反発しながら不勢力に抗して床開口４に滑り込む。
【００２５】
図７で示すように、アーム状突っ張り部２３は外方向へのバネ付勢力で、床下地材４２に対し強力に突っ張る。床下地材４２に対するアーム状突っ張り部２３の押圧力が、対向する固着手段１つまり、突き刺し部１４に激しい突き押し力を加える結果、突き刺し部１４が床下地材４２に強固に突き刺さり固着する。
【図面の簡単な説明】
【００２６】
【図１】実施の形態の点検口の外枠固定装置を示す斜視図である。
【図２】実施の形態の固着手段を示す斜視図である。
【図３】一方の立上り壁に固着手段を取付けた状態を示す斜視図である。
【図４】実施の形態の押圧手段を示す斜視図である。
【図５】外枠固定装置の取付け状態を示す要部説明図である。
【図６】外枠固定装置の取付け状態を示す要部説明図である。
【図７】外枠固定装置の取付け状態を示す要部説明図である。
【図８】従来の点検口の外枠固定装置を示す断面図である。
【符号の説明】
【００２７】
１      固定手段
２      押圧手段
３      外枠
４      床開口
１１    固着板
１２    屈曲係合部  
１３    内向き湾曲部
１４    突き刺し部
２１    固着板
２２    屈曲係合部  
２３    内向き湾曲部
２４    突っ張りバネ板
２４ａ  アーム状突っ張り部
２４ｃ  段差部
３１    立上り壁
３２    枠縁
３３    ハコ状受け部
３１Ａ  一方の立上り壁
３１Ｂ  他方の立上り壁
３４    取付用係合受け部
３４ａ  コーナー補強部
【図１】
2013023839.tif 000003
【図２】
2013023839.tif 000004
【図３】
2013023839.tif 000005
【図４】
2013023839.tif 000006
【図５】
2013023839.tif 000007
【図６】
2013023839.tif 000008
【図７】
2013023839.tif 000009
【図８】
2013023839.tif 000010